(57)【要約】【課題】本発明は、単葉シールと被着体によって作られる前記被着体への角度の無い部分への貼付であっても、透明シール基材の同一平面上に印刷された正像と逆像とを連接する連接部で、前記逆像を裏面に折り返して前記正像と同一形状の印刷部を視認可能としたため高度にアピール可能な立体ＰＯＰシールを提供することを課題とする。【解決手段】透明なシール基材の表面上に、商品Ｍを販促するための図案や文字等からなる像を有して商品Ｍに取り付けるための立体ＰＯＰシール１であって、前記立体ＰＯＰシール１は、前記正像３を有する第一の印刷領域２と前記正像３の前記逆像５を有する第二の印刷領域４とを連接する連接部１１を有し、前記逆像５を前記連接部１１を介して裏面に折り返して前記正像３に間隙を設けて重ね合わせて係止可能な係止部９を備えるとともに所望の被着体Ｍに取り付け可能な貼付部８を備えたことを特徴とする立体ＰＯＰシール１。【選択図】図１
2011158604.tif 000002
【特許請求の範囲】
【請求項１】
透明なシール基材の表面上に、商品を販促するための図案や文字等からなる像を有して商品に取り付けるための立体ＰＯＰシールであって、
前記立体ＰＯＰシールは、正像を有する第一の印刷領域と前記正像の逆像を有する第二の印刷領域とを連接する連接部を有し、前記逆像を前記連接部を介して裏面に折り返して前記正像に間隙を設けて重ね合わせて係止可能な係止部を備えるとともに所望の被着体に取り付け可能な貼付部を備えたことを特徴とする立体ＰＯＰシール。
【請求項２】
前記請求項１に記載の係止部は、前記透明シールの側端部の一端が突起部からなり、他端部がスリット部からなることを特徴とする立体ＰＯＰシール。
【請求項３】
前記請求項１に記載の貼着部は、前記透明シールの正像部の下端部に備えたことを特徴とする立体ＰＯＰシール。
【発明の詳細な説明】
【技術分野】
【０００１】
本発明は、立体ＰＯＰシールにかかるもので、商品の広告宣伝やアイキャッチ機能を高度に発揮させるために、シールの一部を被着体から突出した形状で貼付する立体ＰＯＰシールに関するものである。
【背景技術】
【０００２】
従来から、飲料品、化粧品、薬品など、種々の商品の広告宣伝やキャンペーン等のために単葉シールの一部を被着体から突出した形状で貼付することによって、できるだけ人目を引き、目立つことによって訴求効果を高めて販売を促進するＰＯＰシールがある。
【０００３】
このＰＯＰシールは、シール裏面の一部に粘着層を有し、その他の部分は糊殺しがされた自由端部領域部分を備えて、このシール基材層の裏面の一部が、包装容器や各種商品等の被着体に貼付され、その被着体に貼付されない自由端部領域部分は、被着体の展示環境における風圧や被着体本体の揺動によって、シール本体が三次元的な立体的揺らぎや動きを生じるようにして、アイキャッチ（人目を引く）機能を高めたものである。
【０００４】
しかし、前記単葉シールがアイキャッチ機能を発揮するために貼付されるべき前記被着体の部分の位置は、前記単葉シールと前記被着体によって作られる角度が無い部分では、シールの一部が被着体から突出した形状を作り得ないため、前記被着体の端部（上端部あるいは側端部）に貼付しなければならず、商品の展示のために商品自体の高さや幅以上の広い範囲の空間を必要とするという問題がある。
【０００５】
さらに、前記単葉シールは、商品に比べて大きなシールを採用するときには、シール基材の腰の強さがなければ屹立できず垂れ下がるという問題がある。
【０００６】
また、前記単葉シールが有する表示領域以上のアイキャッチ情報を印刷するには、より大きなシールを用いることとなり、商品の展示のための広い範囲の空間を必要とするという問題がある。
【先行技術文献】
【特許文献】
【０００７】
【特許文献１】特開２００７−２９３０８１号公報
【発明の概要】
【発明が解決しようとする課題】
【０００８】
本発明は以上のような諸問題にかんがみなされたもので、本発明は、前記単葉シールと前記被着体によって作られる前記被着体への角度の無い部分への貼付であっても、透明シール基材の同一平面上に印刷された正像と逆像とを連接する連接部で、前記逆像を裏面に折り返し、間隙を設けて前記正像と同一形状の印刷部を視認可能とすることによって立体化することができるため、前記被着体の上端部や側端部に貼付しなくても商品の展示のための広い空間を必要とせずにアイキャッチ機能を発揮する立体ＰＯＰシールを提供することを課題とする。
ここで逆像とは、透明基材に印刷された正像を、前記透明基材の裏面から視認したときに有する前記正像と同一大で同一形状のものをいう。
【０００９】
さらに、本発明は、透明シール基材を巻回して側端部を係止して前記被着体に貼付するため、十分なシールの腰の強さが保証される立体ＰＯＰシールを提供することを課題とする。
【００１０】
また、本発明は、アイキャッチ機能を発揮するためのより広い表示領域を要する印刷であっても、透明なシールを巻回して広い表示領域を確保して、前記被着体に貼付するために、大きな単葉シールを要しない立体ＰＯＰシールを提供することを課題とする。
【００１１】
また、本発明は、簡単な構成及び簡単な作業で立体ＰＯＰシールを提供することを課題とする。
【課題を解決するための手段】
【００１２】
すなわち本発明は、透明ＰＥＴ基材の同一平面上に印刷された正像と逆像とを連接する連接部で、前記逆像を裏面に折り返して前記正像と同一形状の印刷部を視認可能にすることによってアイキャッチ機能を高めることに着目したもので、透明なシール基材の表面上に、商品を販促するための図案や文字等からなる像を有して商品に取り付けるための立体ＰＯＰシールであって、前記立体ＰＯＰシールは、正像を有する第一の印刷領域と前記正像の逆像を有する第二の印刷領域とを連接する連接部を有し、前記逆像を前記連接部を介して裏面に折り返して前記正像に間隙を設けて重ね合わせて係止可能な係止部を備えるとともに所望の被着体に取り付け可能な貼付部を備えたことを特徴とする立体ＰＯＰシール。
【００１３】
第二の発明は、前記請求項１に記載の係止部は、前記透明シールの側端部の一端が突起部からなり、他端部がスリット部からなることを特徴とする立体ＰＯＰシールである。
【００１４】
第三の発明は、前記請求項１に記載の貼着部は、前記透明シールの正像部の下端部に備えたことを特徴とする立体ＰＯＰシールである。
【発明の効果】
【００１５】
本発明による立体ＰＯＰシールにおいては、簡単な構成及び簡単な作業でアイキャッチ機能の高い立体ＰＯＰシールを提供することができる。
【００１６】
とくに第一の発明によれば、前記単葉シールと前記被着体によって作られる前記被着体の角度の無い部分への貼付であっても、正像と同一形状を有する前記正像の逆像の印刷部が間隙を設けて視認可能としたため、前記被着体の上端部あるいは側端部に貼付しなくても立体感に満ち、そして商品の展示のための広い空間を必要とせずに、アイキャッチ機能が発揮できる立体ＰＯＰシールを提供することができる。
【００１７】
とくに第二の発明によれば、透明シール基材を巻回して側端部を係止して前記被着体に屹立貼付するために、シールが垂れ下がることのない十分な腰を保持可能な立体ＰＯＰシールを提供することができる。
【００１８】
とくに第三の発明によれば、被着体の上端部や側端部に規制されない所望の位置に貼付可能である立体ＰＯＰシールを提供することができる。
【図面の簡単な説明】
【００１９】
【図１】本発明の実施例による商品Ｍに貼付した立体ＰＯＰシール１０の概略斜視図である。
【図２】同、立体ＰＯＰシール１の概略平面図１である。
【図３】同、立体ＰＯＰシール１のＢ−Ｂ線による断面図２０である。
【図４】同、立体ＰＯＰシール１を裏面から視認したときの概略平面図３０である。
【発明を実施するための形態】
【００２０】
本発明は、透明なシール基材の表面に、商品を販促するための図案や文字等からなる正像を有する第一の印刷領域と前記正像の逆像を有する第二の印刷領域とを連接する連接部を有し、前記逆像を前記連接部を介して裏面に折り返して前記正像に間隙を設けて重ね合わせて係止可能な係止部を備えるとともに所望の被着体に取り付け可能な貼付部を備えたので、需要者にとって、より立体感を喚起させるアイキャッチ機能を有する立体ＰＯＰシールを実現した。
【実施例】
【００２１】
つぎに本発明の実施例による立体ＰＯＰシール１を図１ないし図３にもとづき説明する。
図１は、商品Ｍに貼付された態様を示す立体ＰＯＰシール１０の概略斜視図、図２は、同、立体ＰＯＰシール１の概略平面図、図３は、同、立体ＰＯＰシール１のＢ−Ｂ線による断面図２０、図４は、同、立体ＰＯＰシール１を裏面から視認したときの概略平面図３０であって、立体ＰＯＰシール１は、透明基材２１の表面に、正像３（ここでは、印刷部「う」）を有する第１の印刷部２と、連接する連接部１１を介して前記正像３の逆像５を有する第２の印刷部４とを有する。
【００２２】
ここで、前記逆像５は、前記正像３が印刷されている面の裏面から視認したときに前記正像３と同一大で同一形状の印刷形態を有する。
【００２３】
さらに、第１の印刷部２下部には、本発明の立体ＰＯＰシール１を所望の商品Ｍに貼付可能な粘着層１８を有する貼付部８と、第２の印刷部４の右側端部下方に設けた突起部６を有する。前記突起部６は、前記連接部１１を支軸として裏面側に折り返し、前記正像３と前記逆像５とが間隙を設けて円形状に係止可能なスリット７部を有する。
【００２４】
前記突起部６と前記スリット７部からなる係止部９によって、本発明の透明基材２１は、円形形状を形成し、所望の商品Ｍに屹立可能な腰を得ることができる。
ここで、前記係止部９には、種々の形状の組み合わせが可能であって、図示しない突起部の付け根部分の上から半スリットを設けたものと、突起部の付け根部分の下から半スリットを設けた一対の係止突起部同士の係止部やその他の係止可能な種々の鍵型形状同士の係止部であっても採用可能である。
【００２５】
また、粘着剤層１８は、前記第一の印刷部２下端部の前記貼付部８裏面に、感圧性粘着剤を塗布してこれを形成したもので、所定レベルの感圧によって、前記立体ＰＯＰシール１０を任意の商品Ｍ（図１）に貼付可能である。
【００２６】
また、図３は、同、立体ＰＯＰシール１のＢ−Ｂ線による断面図２０であって、透明基材２１の一面（表面）に正像３を、他面の貼付部８の裏面に粘着剤層１８を有する。
前記粘着剤層１８は、前記貼付部８の裏面に塗布された構成を有する実施例であるが、前記第二の印刷部２裏面全体に粘着剤層を塗布し、前記貼付部８に対応する裏面以外の部分にニスやシリコンなどを塗布した糊殺しとしてもよい。
【００２７】
前記透明基材２１は、任意の合成樹脂材料などによる基材であって、所定の厚さを有するとともに、耐擦過性、耐水性及び耐溶剤性に優れたＰＥＴ（ポリエチレンテレフタレート）その他の材料を採用可能であって、好ましくは透明ＰＥＴ＃１００から＃１２５の厚さが推奨される。
【００２８】
しかして、本発明の立体ＰＯＰシール１は、商品Ｍの表面から屹立して三次元的ないし立体的な貼付状態を有し、これまでの平面的な貼付状態に比較して立体ＰＯＰシール１の存在、ひいては印刷された内容を効果的にアピール可能である。
【００２９】
また、本発明の広告宣伝機能を高度に発揮することのできる図案や文言を有する前記正像３及び前記逆像５を同一工程でカラー印刷するには、所望の形状が描かれた版下を印刷機に架け、その形状に所望の色をのせていくこととなる。
まず、白のインクをベース色として塗布し、そしてＣ（シアン）、Ｍ（マゼンダ）、Ｙ（イエロー）、Ｋ（ブラック）のそれぞれを着色する工程において、前記版下に形成された所望の形状に所望の着色をする。最後には、好みによって、所望のコールド箔を付して所望の図案や文言等が描かれた立体ＰＯＰシール１を作成する。
【００３０】
このように作成された前記正像３及び前記逆像５を図１の商品Ｍに貼付したときに、視認可能となる形状は同一のものであるが、前記印刷工程による着色過程から、図２における前記正像３及び前記逆像５部分の表面にはＫ（ブラック）が、そして、図２の立体ＰＯＰシール１の概略平面図を裏面から視認した図４の立体ＰＯＰシール１を裏面から視認したときの概略平面図３０における逆像透過裏面像１３及び正像透過裏面像１５には、白が基調とされた着色がなされる。
【００３１】
そのため、図１に示すように商品Ｍに貼付したときに視認される着色は、前記正像３では、Ｋ（ブラック）が、そして前記逆像の裏面として視認可能な正像透過裏面像１５は、白が基調とされる着色が視認可能となる。
これはどのような印刷工程をとるかによって種々の着色を有する立体ＰＯＰシール１が生成される。
【００３２】
すなわち、これは手数とはなるが、前述の正像と逆像との色を着色する過程を正像では白、Ｃ（シアン）、Ｍ（マゼンダ）、Ｙ（イエロー）、Ｋ（ブラック）とし、逆像に関しては、Ｋ（ブラック）、Ｙ（イエロー）、Ｍ（マゼンダ）、Ｃ（シアン）、白とする印刷工程とすることも可能である。
このように正像と逆像との形状は同一であるが、色を違えることによるアピール効果を発揮させることができる。
【００３３】
本発明は、商品に貼付されたシールの自由端部を形成する２つの同一形状を有した図案や文言等が間隙をもって視認できることによるアピール効果を備えたものであるが、その他に、より広い表示領域を要する広告宣伝効果を有するための印刷の場合には、間隙を設けて視認可能な同一形状の図案や文言等にこだわらず、楕円状の自由端部部分全てを使って図案や文言等を印刷できるので、大きな表示領域を有する単葉シールを使うことなく商品のアピールが可能となる。
しかして、アイキャッチに優れた立体ＰＯＰシール１を提供可能である。
【符号の説明】
【００３４】
１  立体ＰＯＰシール（実施例、図１、図２）
２  第１の印刷部
３  正像（図１、図２の印刷部「う」）
４  第２の印刷部
５  逆像（図１、図２の印刷部「う」を裏面から視認したときの形状）
６  突起部
７  スリット
８  貼付部
９  係止部
１０  商品Ｍに付された態様を示す立体ＰＯＰシール
１１  連接部
１３  逆像透過裏面像
１５  正像透過裏面像
１８  粘着層
２０  立体ＰＯＰシールのＢ−Ｂ線による断面図
２１  透明基材
３０  立体ＰＯＰシール１を裏面から視認した概略図３０（図４）
Ｍ    商品（被着体）
【図１】
2011158604.tif 000003
【図２】
2011158604.tif 000004
【図３】
2011158604.tif 000005
【図４】
2011158604.tif 000006